(57)【特許請求の範囲】
【請求項１】
給水管及び給湯管に接続されるアダプターに湯水混合水栓の給水側脚部及び給湯側脚部を接続する接続ナットを備え、前記給水側脚部又は前記給湯側脚部と前記接続ナットとの間には径方向のクリアランスを有する調節用隙間を形成しており、
前記給水側脚部及び前記給湯側脚部は給水側本体及び給湯側本体に螺合されたねじ部材を有するとともに、前記接続ナットは前記ねじ部材と前記アダプターとを接続するように構成されており、
前記ねじ部材と前記アダプターとは金属で形成され、それらのねじ部材の端面とアダプターの端面には金属面同士が互いに当接する当接面が設けられるとともに、それらの当接面以外の部分の端面間にはシール部材が介装されている湯水混合水栓の取付構造。
【請求項２】
前記アダプターは給水管及び給湯管に接続される管接続用アダプターと該管接続用アダプターに連結される連結用アダプターとにより構成されている請求項１に記載の湯水混合水栓の取付構造。
【発明の詳細な説明】
【技術分野】
【０００１】
本発明は、例えば浴室の壁の給水管及び給湯管に湯水混合水栓を取付けるための湯水混合水栓の取付構造に関する。
【背景技術】
【０００２】
浴室の壁面において、給水管及び給湯管に湯水混合水栓を取付ける場合には、給水管及び給湯管を壁に固定するための配管工事を行い、その後、給水管及び給湯管に混合水栓が取付けられる。この場合、壁に給水管及び給湯管を通すための孔の施工不良等の原因によって、給水管と給湯管との間隔が所要の間隔からずれてしまうおそれがある。給水管と給湯管との間隔にずれが生じないように、給水管及び給湯管に位置決めプレートよりなる補助具を装着することが行われている。
【０００３】
この種の補助具が例えば特許文献１に開示されている。すなわち、この補助具は、給水管及び給湯管の外径よりやや大きい内径を有する孔や切欠からなる固定部を有している。そして、給水管及び給湯管の配管工事に際して、補助具の各孔や切欠に給水管及び給湯管を挿通することにより、給水管と給湯管との間隔が保持される。
【先行技術文献】
【特許文献】
【０００４】
【特許文献１】実公昭６２−９３９６号公報
【発明の概要】
【発明が解決しようとする課題】
【０００５】
前述した特許文献１に記載されている従来技術では、孔や切欠を有する補助具を湯水混合水栓の別部品として用意し、配管工事時に給水管及び給湯管に装着しなければならない。このため、工事に用いられる部材の数が増えるとともに、工事が煩雑になるという欠点があった。
【０００６】
この発明は、このような従来の技術に存在する問題点に着目してなされたものであり、その目的とするところは、別部材を使用することなく、給水管及び給湯管に対する湯水混合水栓の接続作業を容易かつ迅速に行うことができる湯水混合水栓の取付構造を提供することにある。
【課題を解決するための手段】
【０００７】
上記の目的を達成するために、本発明の湯水混合水栓の取付構造は、給水管及び給湯管に接続されるアダプターに湯水混合水栓の給水側脚部及び給湯側脚部を接続する接続ナットを備え、前記給水側脚部又は給湯側脚部と接続ナットとの間には径方向のクリアランスを有する調節用隙間を形成したものである。
【０００８】
前記の構成においては、アダプターの位置がずれても、そのずれを前記調節用隙間で吸収することができる。従って、湯水混合水栓の給水側脚部及び給湯側脚部を各々給水管及び給湯管に簡単に接続することができ、別部品を使用することなく、給水管及び給湯管に対する湯水混合水栓の接続作業を容易かつ迅速に行うことができる。
【０００９】
前記給水側脚部及び給湯側脚部は給水側本体及び給湯側本体に螺合されたねじ部材を有するとともに、接続ナットはねじ部材とアダプターとを接続するように構成されていることが好ましい。
【００１０】
前記ねじ部材とアダプターとは金属で形成され、それらのねじ部材の端面とアダプターの端面には金属面同士が互いに当接する当接面が設けられるとともに、それらの当接面以外の部分の端面間にはシール部材が介装されていることが好ましい。
【００１１】
前記アダプターは給水管及び給湯管に接続される管接続用アダプターと該管接続用アダプターに連結される連結用アダプターとにより構成されていることが好ましい。
【発明の効果】
【００１２】
本発明の湯水混合水栓の取付構造によれば、別部品を使用することなく、給水管及び給湯管に対する湯水混合水栓の接続作業を容易かつ迅速に行うことができるという効果を奏する。
【図面の簡単な説明】
【００１３】
【図１】本発明の実施形態における湯水混合水栓の取付構造を示し、給水管及び給湯管に対して湯水混合水栓が取付けられた状態をカバーを省略して示す要部横断面図。
【図２】給水管及び給湯管に対して湯水混合水栓が取付けられた状態を示す要部縦断面図。
【図３】給水管に対する湯水混合水栓の取付構造を分解して示す要部縦断面図。
【図４】給水管に対して湯水混合水栓が取付けられた状態を示す部分拡大横断面図。
【図５】給水管に対して湯水混合水栓が取付けられた状態を示す部分拡大縦断面図。
【図６】給水部に対して湯水混合水栓を取付ける途中の状態を示す要部縦断面図。
【発明を実施するための形態】
【００１４】
以下に、本発明の実施形態を図１〜図６に基づいて詳細に説明する。
図１及び図２に示すように、浴室内の壁１１には左右一対の貫通孔１２が形成されている。これらの貫通孔１２を通して給水管１３及び給湯管１４に湯水混合水栓１５が取付けられる。これらの貫通孔１２には鍔部１６２を有する管接続用アダプター１６のアダプター本体１６１が、その鍔部１６２が壁１１の内面に当接するようにして挿入され、鍔部１６２のビス挿通孔１６３にビス１７を挿通してビス１７が壁１１に螺挿されることにより、管接続用アダプター１６が壁１１に固定されている。
【００１５】
前記アダプター本体１６１の外端部（浴室の外側）には雄ねじ１６４が形成され、給水管１３又は給湯管１４の端部に形成された雌ねじに螺合されている。前記アダプター本体１６１の内端部には雌ねじ孔１６５が形成され、該雌ねじ孔１６５には連結用アダプター１８の外端部に形成された雄ねじ１８１が螺合されている。
【００１６】
図１〜図３に示すように、前記湯水混合水栓１５は、給水管１３から供給される水及び給湯管１４から供給される湯をそのまま、或いは湯と水との湯水混合水を、カラン接続部１９又はシャワーホース接続部２０へ導く。この湯水混合水栓１５は給水側脚部２１及び給湯側脚部２２を有し、以下にこれらについて説明する。なお、これらの給水側脚部２１及び給湯側脚部２２は同じ構造を有することから、給水側脚部２１について説明する。
【００１７】
図４及び図５に示すように、この給水側脚部２１を構成する給水側本体２１１の端部内周面には雌ねじ部２１２が設けられ、この雌ねじ部２１２にはねじ部材２３内端部の雄ねじ部２３１がパッキン２４を介在した状態で螺合されている。該ねじ部材２３の外端部には段部２３２を介してフランジ部２３３が形成されている。前記連結用アダプター１８の内端面の外周部に形成された環状の嵌着用凹部１８２にはゴム材よりなるシール部材２５が嵌着されている。そして、ねじ部材２３のフランジ部２３３と連結用アダプター１８の端面との間の外周側においてシール部材２５が介装されて、シール状態が形成される。このシール状態で、ねじ部材２３外端面の内周側の当接面２３４と連結用アダプター１８の内端面の内周側の当接面１８３とが金属同士で面接触する。
【００１８】
すなわち、前記ねじ部材２３及び連結用アダプター１８は金属で形成され、ねじ部材２３の当接面２３４と連結用アダプター１８の当接面１８３とが金属同士で面接触することにより、湯水混合水栓１５の水栓本体１５１の左右に延びる軸線αと壁１１の内側面との間隔ｘ（図１参照）が設定される。
【００１９】
前記ねじ部材２３の当接面２３４と連結用アダプター１８の当接面１８３とが金属同士で面当りした状態で、それらの外周部が接続ナット２６で連結されている。すなわち、接続ナット２６の内端部にはねじ部材２３のフランジ部２３３と係合するフランジ状の係合部２６１が中心に向かう内方へ延びるとともに、外端部内周には雌ねじ２６２が形成され、この雌ねじ２６２が連結用アダプター１８の雄ねじ１８４に螺合されている。この接続ナット２６により、湯水混合水栓１５が連結用アダプター１８及び管接続用アダプター１６を介して給水管１３に接続されている。
【００２０】
前記湯水混合水栓１５が給水管１３に接続された状態で、ねじ部材２３の段部２３２と接続ナット２６の係合部２６１の内周面との間には環状の調節用隙間２７が形成されるとともに、ねじ部材２３のフランジ部２３３と接続ナット２６の内周の内底面２６３との間にも環状の調節用隙間２８が形成されている。これらの調節用隙間２７、２８は径方向のクリアランスが同一に形成されている。また、調節用隙間２７、２８の径方向のクリアランスは、前記管接続用アダプター１６のアダプター本体１６１の外周面１６６と壁１１の貫通孔１２との間の隙間２９より広くなるのが好ましい。前記調節用隙間２７、２８により、湯水混合水栓１５の給水側脚部２１が連結用アダプター１８に対して径方向に移動して位置調節可能に構成されている。
【００２１】
前記管接続用アダプター１６、連結用アダプター１８及びねじ部材２３の内部には連通孔１６７、１８５、２３５が形成され、それらの連通孔１６７、１８５、２３５が給水管１３内の流通孔１３１に連通されている。そして、給水管１３の流通孔１３１内の水が連通孔１６７、１８５、２３５を介して湯水混合水栓１５の給水側脚部２１側に供給される。
【００２２】
図２に示すように、前記湯水混合水栓１５の水栓本体１５１、給水側脚部２１及び給湯側脚部２２と給水管１３及び給湯管１４との接続部の上面はカバー３０で覆われている。すなわち、カバー３０の下端の内端部はねじ３１で湯水混合水栓１５の水栓本体１５１に固定され、カバー３０の外端縁（図２の右端縁）に下方へ折曲げ形成された折曲げ部３０１の外面が壁１１の内面に密接されている。
【００２３】
以上のように構成された実施形態の湯水混合水栓１５の取付構造について作用を説明する。
さて、図１及び図６に示すように、湯水混合水栓１５の給水側脚部２１を給水管１３に接続するとともに、給湯側脚部２２を給湯管１４に接続する場合には、まず壁１１の所定位置に一対の貫通孔１２をあける。この状態で、給水管１３又は給湯管１４に接続された各管接続用アダプター１６のビス挿通孔１６３にビス１７を挿通して壁１１に螺入し、管接続用アダプター１６を壁１１に固定する。続いて、連結用アダプター１８の雄ねじ１８１を管接続用アダプター１６の雌ねじ孔１６５に螺合し、連結用アダプター１８を管接続用アダプター１６に連結する。
【００２４】
一方、接続ナット２６の係合部２６１がねじ部材２３のフランジ部２３３に係合される。この状態で、湯水混合水栓１５の給水側脚部２１及び給湯側脚部２２の各雌ねじ部２１２にねじ部材２３の雄ねじ部２３１を、パッキン２４を介して螺合する。そして、シール部材２５が連結用アダプター１８の嵌着用凹部１８２に嵌着された状態で、連結用アダプター１８の当接面１８３にねじ部材２３の当接面２３４が金属面同士で当接されるように接続ナット２６の雌ねじ２６２を連結用アダプター１８の雄ねじ１８４に螺合する。
【００２５】
この場合、給水管１３や給湯管１４の中心軸線βが所定位置から変位しているような場合は、図４及び図５の二点鎖線に示すように、管接続用アダプター１６の中心軸線δが図１に示す給水側脚部２１及び給湯側脚部２２の中心軸線γに対してずれた状態で、管接続用アダプター１６が壁１１に固定されることがある。ここで、図４は中心軸線δが中心軸線γに対して左右方向にずれた状態を示し、図５は中心軸線δが中心軸線γに対して上下方向にずれた状態を示す。
【００２６】
このとき、本実施形態では、湯水混合水栓１５の給水側脚部２１及び給湯側脚部２２のねじ部材２３と接続ナット２６との間に調節用隙間２７、２８が形成されていることから、ねじ部材２３を左右方向，上下方向あるいはそれらの合成方向（斜め方向）へ移動させることにより、管接続用アダプター１６の左右方向，上下方向または斜め方向への位置ずれ、つまり連結用アダプター１８の左右方向，上下方向または斜め方向への位置ずれを調節用隙間２７、２８で吸収することができる。従って、湯水混合水栓１５の給水側脚部２１及び給湯側脚部２２を、位置決めプレート等の補助具を使用することなく、それぞれ給水管１３及び給湯管１４に対して速やかに接続することができる。
【００２７】
従って、この実施形態によれば、以下のような効果を得ることができる。
（１）本実施形態における湯水混合水栓１５の取付構造では、湯水混合水栓１５の給水側脚部２１及び給湯側脚部２２が接続ナット２６によってアダプター１６、１８に連結されている。そして、給水側脚部２１及び給湯側脚部２２と接続ナット２６との間には、アダプター１６、１８を径方向に位置調節するための調節用隙間２７、２８が形成されている。
【００２８】
このため、アダプター１６、１８の位置がずれても、そのずれを調節用隙間２７、２８で吸収することができる。従って、湯水混合水栓１５の給水側脚部２１及び給湯側脚部２２を各々給水管１３及び給湯管１４に簡単に接続することができる。
【００２９】
よって、本実施形態における湯水混合水栓１５の取付構造によれば、別部品を使用することなく、給水管１３及び給湯管１４に対する湯水混合水栓１５の接続作業を容易かつ迅速に行うことができる。
【００３０】
（２）前記給水側脚部２１又は給湯側脚部２２と接続ナット２６との間の調節用隙間２７、２８は、管接続用アダプター１６と貫通孔１２との間の隙間２９よりも大きくなるように設定されていることが好ましい。このようにすれば、管接続用アダプター１６を壁１１に固定する位置がずれても、そのずれは調節用隙間２７、２８のクリアランス内である。従って、調節用隙間２７、２８により、管接続用アダプター１６の位置ずれに対して有効に対応することができる。
【００３１】
（３）前記給水側脚部２１及び給湯側脚部２２は給水側本体２１１及び給湯側本体２２１に螺合されるねじ部材２３を有するとともに、接続ナット２６はねじ部材２３と連結用アダプター１８とを接続するように構成されている。このため、給水側脚部２１と給水管１３との接続構成及び給湯側脚部２２と給湯管１４との接続構成を簡易にして、所望の調節用隙間２７、２８を形成することができる。
【００３２】
（４）前記ねじ部材２３と連結用アダプター１８とは金属で形成され、それらのねじ部材２３と連結用アダプター１８にはそれぞれ当接面２３４、１８３が設けられ、当接面２３４、１８３が金属同士で面接触している。そのため、水栓本体１５１の軸線αと壁１１との間隔ｘについて寸法精度を高めることができる。すなわち、ねじ部材２３の当接面２３４と連結用アダプター１８の当接面１８３とが金属同士で当接され、水栓本体１５１の軸線αと壁１１との間に間隔ｘが保たれることから、カバー３０の折曲げ部３０１と壁１１の内面との間に隙間が形成されたり、カバー３０の折曲げ部３０１が壁１１の内面に強く当たってカバー３０が湾曲したりすることはない。従って、カバー３０の折曲げ部３０１と壁１１の内面との間にシートパッキンを介在させる必要がなく、部品点数を少なくすることができる。これに対し、金属同士の当接部が存在することなく、ねじ部材２３と連結用アダプター１８との間にシール部材が介在されているのみでは、シール部材の潰れ変形度合いに応じて前記間隔ｘが変化するため、その変化を吸収するためのシートパッキンがカバー３０の折曲げ部３０１と壁１１の内面との間に必要になって、部品点数が増える。また、ねじ部材２３及び連結用アダプター１８の当接面２３４、１８３より外周側にはシール部材２５が介装されている。このため、ねじ部材２３と連結用アダプター１８との間に金属同士の当接部が存在しても、それらの間の水密性を確保することができる。
【００３３】
（５）前記アダプターは給水管１３及び給湯管１４に接続される管接続用アダプター１６と該管接続用アダプター１６に連結される連結用アダプター１８とにより構成されている。このため、給水側脚部２１と給水管１３との接続及び給湯側脚部２２と給湯管１４との接続を容易に進めることができる。すなわち、給水管１３及び給湯管１４に管接続用アダプター１６を接続して、その管接続用アダプター１６をビス１７で壁１１に固定し、その固定状態の管接続用アダプター１６に連結用アダプター１８を接続すればよいので、接続作業が容易になる。
【００３４】
なお、前記実施形態は、次のように変更して具体化することも可能である。
・前記管接続用アダプター１６と連結用アダプター１８とを一体形成してもよい。この場合、部品点数を少なくすることができる。
【００３５】
・前記２つの調節用隙間２７、２８をその径方向のクリアランスが異なるように形成してもよい。
・前記ねじ部材２３側にシール嵌着用の凹部を設け、その凹部にシール部材２５を嵌着してもよい。この場合、連結用アダプター１８側の嵌着用凹部１８２及びシール部材２５は不要になる。
【００３６】
・前記連結用アダプター１８の雄ねじ１８１を、先端側ほど小径となるテーパ状に形成してもよい。従って、アダプター本体１６１の雌ねじ孔１６５もテーパ状に形成される。
【符号の説明】
【００３７】
１１…壁、１２…貫通孔、１３…給水管、１４…給湯管、１５…湯水混合水栓、１６…管接続用アダプター、１８…連結用アダプター、２１…給水側脚部、２２…給湯側脚部、２３…ねじ部材、２５…シール部材、２６…接続ナット、２７、２８…調節用隙間、２９…隙間、１８３、２３４…当接面、２１１…給水側本体、２２１…給湯側本体。
【図１】
0006433704.tif 000002
【図２】
0006433704.tif 000003
【図３】
0006433704.tif 000004
【図４】
0006433704.tif 000005
【図５】
0006433704.tif 000006
【図６】
0006433704.tif 000007